(57)【要約】      （修正有）【課題】浴槽の混合水栓の配管に確実に取り付けられ、小物を安全で衛生的に置くことができ、必要な時にすぐに小物を取ることができる水栓用トレイを提供する。【解決手段】皿形のトレイ本体１２と、トレイ本体１２の下面に取り付けられ取り付ける位置が移動可能な一対の支持脚３７を備える。一対の支持脚３７は、浴室の混合水栓４８の湯流路５２と水流路５４に各々係止して、トレイ本体１２が混合水栓４８の上方の奥に位置する。トレイ本体１２はアルミニウム押出形材を所定長さでカットして作られ、長手方向に対して直角に交差する断面形状は一定である。【選択図】図２
2015086544.tif 000002
【特許請求の範囲】
【請求項１】
皿形のトレイ本体と、前記トレイ本体の下面に取り付けられ取り付ける位置が移動可能な一対の支持脚が設けられ、前記一対の支持脚は、浴室の混合水栓の湯流路と水流路に各々係止して前記トレイ本体が前記水栓の上方の奥に位置することを特徴とする水栓用トレイ。
【請求項２】
前記トレイ本体はアルミニウム押出形材を所定長さでカットして作られ、長手方向に対して直角に交差する断面形状は一定であり、中心には使用状態で上面に位置する平坦な載置面が設けられ、前記載置面にはコの字形に窪んだ排水溝部が設けられ、前記載置面の両脇には上方に向かって立ち上がる立上部が各々設けられ、前記トレイ本体の下面には一対のガイド壁が設けられ、前記一対のガイド壁の内側の空間は前記支持脚が取り付けられる支持脚用溝部である請求項１記載の水栓用トレイ。
【請求項３】
前記トレイ本体の長手方向の両端部には、同形のキャップが各々設けられ、前記キャップは合成樹脂で一体に作られ、前記トレイ本体の端面に当接する板体が設けられ、前記板体の所定位置には前記トレイ本体に弾性力で係止する突起が設けられ、前記トレイ本体の前記排水溝部に対向する部分には排水口が貫通して設けられている請求項１記載の水栓用トレイ。
【請求項４】
前記支持脚は合成樹脂製で一体に作られ、前記混合水栓の湯流路または水流路を覆う半円筒状の取付部と、前記取付部から突出する棒状の支持部と、前記支持部の先端に設けられ前記トレイ本体の前記支持脚用溝部に嵌合される嵌合部が設けられ、前記嵌合部には突起が設けられ、前記突起が前記支持脚用溝部の内壁に密着して摺動可能に係止され、前記一対の支持脚の間隔は、前記混合水栓の湯流路と水流路の間隔に合わせるものである請求項１記載の水栓用トレイ。
【請求項５】
前記トレイ本体の前記支持脚用溝部には、一対の支持脚の間にスペーサーが設けられている請求項１記載の水栓用トレイ。
【請求項６】
前記水栓用トレイは、表面に銀が設けられ、抗菌性を有するものである請求項１記載の水栓用トレイ。
【発明の詳細な説明】
【技術分野】
【０００１】
この発明は、浴室内の水栓等に取り付けて小物を置く水栓用トレイに関する。
【背景技術】
【０００２】
従来、不特定多数の人が利用する公衆浴場等では、洗い場で体を洗うときにタオルやメガネ、時計等の自分の小物を置く場所がなく不便であった。水栓の前に備え付けの石鹸やシャンプー等が置かれている棚が設けられていることがあるが、このような棚の上には水がたまりやすく、小物を置くと濡れることがあり、また雑菌が繁殖している場合もあり衛生的ではない。このことから、浴室や流し台の水栓の周囲に、衛生的に小物を置くために種々の道具が考えられている。
【０００３】
例えば、特許文献１に開示されているタオル載置具は、浴室内の所定位置に安定して載置可能な土台と、この土台に立設された支持脚と、この支持脚に支持された棒体からなるタオル載置部が設けられているものである。このタオル載置具により、タオルを衛生的に置くことができる。
【０００４】
特許文献２に開示されているバックガード棚は、スポンジやタワシ、石鹸等の洗い具が載置されるトレイと、このトレイを着脱自在に支持すると共に吸着盤等によって流し台等のバックガードに固定されるフレーム体とから成り、上記トレイは、背面板と、この背面板から前方に突出するようにして連接されると共に上記洗い具を載置可能な受け板と、背面板から後方に向け湾曲形成されたフック部が設けられているものである。上記フレーム体は、上記フック部を掛止める支持杆が設けられている。このバックガード棚により、洗い具を常時衛生的に保つことができる。
【先行技術文献】
【特許文献】
【０００５】
【特許文献１】特開２００８−１９４２９６号公報
【特許文献２】特開平１−８６８８４号公報
【発明の概要】
【発明が解決しようとする課題】
【０００６】
上記背景技術の特許文献１，２に開示されたものの場合、浴槽の縁や流し台等のバックガードに取り付けるものであり、洗い場の水栓の付近に取り付けることは考えられていないものである。洗い場で体を洗った後にすぐタオルを使用したい時に水栓の付近にタオルを置くと取りやすくて便利であり、またメガネや時計もすぐ手が届くところにあると便利である。従って、水栓の近くに小物を置くことができる台となるものが求められている。
【０００７】
この発明は、上記背景技術の問題点に鑑みてなされたものであり、浴槽の混合水栓の配管に確実に取り付けられ、小物を安全で衛生的に置くことができ、必要な時にすぐに小物を取ることができる水栓用トレイを提供することを目的とする。
【課題を解決するための手段】
【０００８】
本発明は、皿形のトレイ本体と、前記トレイ本体の下面に取り付けられ取り付ける位置が移動可能な一対の支持脚が設けられ、前記一対の支持脚は、浴室の混合水栓の湯流路と水流路に各々係止して前記トレイ本体が前記水栓の上方の奥に位置する水栓用トレイである。
【０００９】
前記トレイ本体はアルミニウム押出形材を所定長さでカットして作られ、長手方向に対して直角に交差する断面形状は一定であり、中心には使用状態で上面に位置する平坦な載置面が設けられ、前記載置面にはコの字形に窪んだ排水溝部が設けられ、前記載置面の両脇には上方に向かって立ち上がる立上部が各々設けられ、前記トレイ本体の下面には一対のガイド壁が設けられ、前記一対のガイド壁の内側の空間は前記支持脚が取り付けられる支持脚用溝部である。
【００１０】
前記トレイ本体の長手方向の両端部には、同形のキャップが各々設けられ、前記キャップは合成樹脂で一体に作られ、前記トレイ本体の端面に当接する板体が設けられ、前記板体の所定位置には前記トレイ本体に弾性力で係止する突起が設けられ、前記トレイ本体の前記排水溝部に対向する部分には排水口が貫通して設けられている。
【００１１】
前記支持脚は合成樹脂製で一体に作られ、前記混合水栓の湯流路または水流路を覆う半円筒状の取付部と、前記取付部から突出する棒状の支持部と、前記支持部の先端に設けられ前記トレイ本体の前記支持脚用溝部に嵌合される嵌合部が設けられ、前記嵌合部には突起が設けられ、前記突起が前記支持脚用溝部の内壁に密着して摺動可能に係止され、前記一対の支持脚の間隔は、前記混合水栓の湯流路と水流路の間隔に合わせるものである。
【００１２】
前記トレイ本体の前記支持脚用溝部には、一対の支持脚の間にスペーサーが設けられている。
【００１３】
前記水栓用トレイは、表面に銀が設けられ、抗菌性を有するものである。
【発明の効果】
【００１４】
本発明の水栓用トレイは、浴室の混合水栓の湯流路と水流路に上方から取り付けられ、混合水栓の上方近傍の、混合水栓の操作に支障がないところに小物を載置することができる。さらに、小物を安全で衛生的に置くことができ、また必要な時にすぐに小物を取ることができる。トレイ本体には排水溝部が設けられて水が溜まることがないため、小物が濡れることがなく、雑菌が繁殖することもなく衛生的である。また、一対の支持脚の間隔は施工現場で容易に変更することができ、いろいろな混合水栓に取り付けることができる。
【図面の簡単な説明】
【００１５】
【図１】この発明の一実施形態の水栓用トレイを示す斜視図である。
【図２】この実施形態の水栓用トレイの使用状態を示す斜視図である。
【図３】この実施形態の水栓用トレイの縦断面図である。
【図４】この実施形態の水栓用トレイのキャップの斜視図である。
【図５】この実施形態の水栓用トレイのキャップの正面図（ａ）と右側面図（ｂ）、背面図（ｃ）、底面図（ｄ）である。
【図６】この実施形態の水栓用トレイの支持脚の斜視図である。
【図７】この実施形態の水栓用トレイの支持脚の上面図（ａ）と正面図（ｂ）、右側面図（ｃ）である。
【図８】この実施形態の水栓用トレイのスペーサーの斜視図である。
【図９】この実施形態の水栓用トレイのスペーサーの正面図（ａ）と右側面図（ｂ）、底面図（ｃ）である。
【発明を実施するための形態】
【００１６】
以下、この発明の実施形態について図面に基づいて説明する。図１〜図３は、この発明の一実施形態を示すもので、この実施形態の水栓用トレイ１０は、一方向に長いアルミニウム押出形材を所定長さでカットしたトレイ本体１２が設けられている。トレイ本体１２の長手方向に対して直角に交差する断面形状は一定であり、中心には使用状態で上面に位置する平坦な載置面１４が設けられ、載置面１４の両脇には上方に開口してコの字形に窪んだ排水溝部１６が長手方向に一対設けられている。排水溝部１６の、さらに外側の両側縁部には、上面に向かって湾曲しながら立ち上がる立上部１８が各々設けられている。立上部１８の先端部には、丸められた縁部２０が各々設けられている。載置面１４の下面には、載置面１４の長手方向に沿う中心線を挟んで両側に、一対のガイド壁２２が設けられている。ガイド壁２２は、載置面１４に対して直角に立ち上がる立上部２２ａと、立上部２２ａの先端に設けられ立上部２２ａに対して直角に互いに近づく方向へ折り曲げられて載置面１４に対して平行に延出する平行部２２ｂが設けられている。載置面１４と、一対のガイド壁２２で囲まれた部分は、後述する支持脚３７が取り付けられる支持脚用溝部２４となる。立上部２２ａの互いに離れた外側面には、後述するキャップ２６が取り付けられる突起部２２ｃが設けられている。突起部２２ｃは、載置面１４に対して平行な面と、斜め下方に対面する面とで三角突状となっている。トレイ本体１２は、表面に銀を塗布し、抗菌性を持たせている。
【００１７】
トレイ本体１２の長手方向の両端部には、各々同形のキャップ２６が設けられている。キャップ２６は、合成樹脂で一体に作られ、図４、図５に示すようにトレイ本体１２の端面に当接する板体２８が設けられている。板体２８は、トレイ本体１２の、載置面１４、排水溝部１６、立上部１８、縁部２０を覆う形状であり、上方に開いた形状である。トレイ本体１２の一対の排水溝部１６に対向する部分には、矩形の排水口３０が各々貫通して設けられている。トレイ本体１２の縁部２０に対向する部分には、縁部２０の周縁部を覆って係止される筒状突起３２が各々設けられている。筒状突起３２は、板体２８に対して直角な方向に中心軸がある筒状であり、立上部１８に対向する側周面の一部分が切除され、立上部１８にぶつからずに縁部２０を収容することができ、また弾性変形可能となっている。トレイ本体１２の載置面１４、ガイド壁２２、排水溝部１６で囲まれた下方に開口するコの字形の溝部１７に対向する部分には、柱状突起３４が各々設けられている。柱状突起３４は、板体２８に対して直角な方向に突出し、排水溝部１６に沿って差し込まれるものであり、突出する長さは筒状突起３２とほぼ同じである。柱状突起３４の、載置面１４側の側縁部には、ガイド壁２２に向かって突出する小さいフランジ部３６が設けられ、フランジ部３６の先端はガイド壁２２の、突起部２２ｃと載置面１４の間に当接するものである。トレイ本体１２の一対のガイド壁２２の平行部２２ｂの間に対向する部分には、板状突起３５が設けられている。板状突起３５は一対の平行部２２ｂの間に嵌合される薄板体であり、板体２８に対して直角な方向に突出し、突出する長さは筒状突起３２、柱状突起３４とほぼ同じである。キャップ２６は、材料である合成樹脂に予め銀が練り込まれ、抗菌性を有するものである。
【００１８】
トレイ本体１２の支持脚用溝部２４には、一対の支持脚３７が取り付けられている。支持脚３７は、合成樹脂で一体に作られ、図６、図７に示すように、半円筒状の取付部３８が設けられ、取付部３８は、後述する混合水栓４８のクランク形脚部材５８を覆う直径に形成され、軸方向の幅は直径よりも短く設定されている。取付部３８の外周面には支持部４０が設けられ、支持部４０は、取付部３８の軸方向の幅の中間で円周方向の長さの中間から、外側に延出して設けられている。支持部４０は、取付部３８の直径方向に交差する方向に延出し、取付部３８の中心軸方向に長い薄板状に形成されている。支持部４０の、取付部３８との連接部分は、取付部３８の側周面に沿って三角状に広がって高い強度で連接されている。支持部４０の、取付部３８と反対側の端部には、トレイ本体１２の支持脚用溝部２４に嵌合される薄板状の嵌合部４２が設けられている。嵌合部４２は、取付部３８の軸方向に対して直角方向で、さらに支持部４０の延出方向に対して約９３°に形成され、取付部３８の半円筒状の一対の端部に近づく側へ突出して設けられている。嵌合部４２は、支持部４０の幅よりも広い幅に設けられ、支持部４０から突出する方向に交差する断面形状はほぼ一定であり、断面形状はトレイ本体１２の支持脚用溝部２４に摺動可能に嵌合される矩形であり、上面にはがたつきを防止する突起４１が設けられ、一方の側面にがたつきを防止する突起４３が設けられている。嵌合部４２がトレイ本体１２の支持脚用溝部２４に嵌合された時、支持部４０は一対のガイド壁２２の平行部２２ｂ同士の間から外側に突出するもので、支持部４０の幅は、平行部２２ｂ同士の間に摺動可能なゆとりを有する長さに設定されている。支持脚３７は、材料である合成樹脂に予め銀が練り込まれ、抗菌性を有するものである。
【００１９】
トレイ本体１２の支持脚用溝部２４には、一対の支持脚３７の間にスペーサー４４が設けられている。スペーサー４４は、合成樹脂で一体に作られ、図８、図９に示すように一方向に長い板体であり、長手方向がトレイ本体１２の支持脚用溝部２４の挿通方向に一致して、ゆとりを有して嵌合される。スペーサー４４は、長手方向に直角に交差する断面形状が一定の長尺物であり、一対の側面の幅方向の中心付近は薄く形成されている。スペーサー４４は、一対の取付部３８の間隔を所定長さに維持するものであり、所望の間隔とするように長手方向をカットして使用する。スペーサー４４は、材料である合成樹脂に予め銀が練り込まれ、抗菌性を有するものである。
【００２０】
次にこの実施形態の水栓用トレイ１０の組立方法について説明する。予め所定長さにカットされたトレイ本体１２の支持脚用溝部２４に、支持脚３７の嵌合部４２をトレイ本体１２の端部から挿通して取り付ける。嵌合部４２は、支持脚用溝部２４の挿通方向に対して長手方向が一致し、上面の突起４１と側面の突起４３が支持脚用溝部２４の内壁に当接し、一定の力を加えて摺動可能となる強さで係止される。支持脚用溝部２４に一対の支持脚用溝部２４を取り付け、一対の支持脚３７の取付部３８は、互いに離れている方に開口するように取り付ける。一対の支持脚３７の間にはスペーサー４４が入れられ、トレイ本体１２の端部から支持脚用溝部２４に入れる際に支持脚３７、スペーサー４４、支持脚３７の順で挿通する。
【００２１】
次に、トレイ本体１２の端部にキャップ２６を各々取り付ける。キャップ２６は合成樹脂製であるため、弾性変形して復元する力でトレイ本体１２に係止されるものである。まず、キャップ２６の筒状突起３２がトレイ本体１２の縁部２０を覆って係止される。また、キャップ２６の柱状突起３４が排水溝部１６とガイド壁２２の間の溝部１７に差し込まれ、柱状突起３４の端部に位置するフランジ部３６が、突起部２２ｃと載置面１４の間に当接して係止される。キャップ２６の板状突起３５はトレイ本体１２の一対のガイド壁２２平行部２２ｂの間に嵌合され、係止される。
【００２２】
この後、組み立てられた水栓用トレイ１０を、図２に示すように浴室の壁部４６に固定された混合水栓４８に取り付ける。ここで、混合水栓４８について説明する。混合水栓４８は横長で略円筒形に形成された水栓本体５０が設けられ、水栓本体５０の背面に、湯が通過する湯流路５２と、水が通過する水流路５４とが形成され、この湯流路５２及び水流路５４は水栓本体５０の略中央に形成された混合室５６に連通し、湯流路５２及び水流路５４に袋ナットを介して回転自在に取り付けられたクランク形脚部材５８により各々壁部４６に固定されている。また、クランク形脚部材５８から水栓本体５０に供給される湯と水は、湯流路５２及び水流路５４と、混合室５６との間に設けられた温度調節弁に連続している温度調整ハンドル６０の操作により所望温度に混合され、その湯水の流量は温度調整ハンドル６０の反対側に設けられた流量調節ハンドル６２の操作により調節され、水栓本体５０に装着された吐水管６４またはホース６６の先端に装着されたシャワーヘッドから吐水される。
【００２３】
取り付けは、図２に示す混合水栓４８の、一対のクランク形脚部材５８の上に、水栓用トレイ１０の一対の支持脚３７を当接させ、セットする。支持脚３７の幅は、混合水栓４８の一対のクランク形脚部材５８の幅に合うように調整する。一対の支持脚３７の間に取り付けられているスペーサー４４が長い場合はトレイ本体１２の支持脚用溝部２４から取り出して短くカットする。スペーサー４４は合成樹脂で作られているため、カッター等で容易にカットすることができる。支持脚３７は合成樹脂で作られ、取付部３８は半円筒状であるためクランク形脚部材５８の直径に合わせて弾性変形して対応し、容易に取り付けられる。
【００２４】
この実施形態の水栓用トレイ１０の使用方法について説明する。混合水栓４８の前に座って体を洗う時、トレイ本体１２の載置面１４に、タオルやメガネ、時計などの小物を置く。トレイ本体１２は混合水栓４８の背面に位置するクランク形脚部材５８に係止されているため、混合水栓４８の温度調整ハンドル６０や流量調節ハンドル６２の操作の支障とならない。トレイ本体１２に水が掛った場合は、水はトレイ本体１２の排水溝部１６に流れ、さらにキャップ２６の排水口３０から外に落下し、溜まることがない。
【００２５】
この実施形態の水栓用トレイ１０によれば、洗い場の混合水栓４８のクランク形脚部材５８に上方から取り付けられ、混合水栓４８の上方の少し奥で混合水栓４８の操作の支障とならないところに、タオルやメガネ、時計等の小物を載置することができ、体を洗っている時に小物がじゃまにならず、紛失を防ぐこともできる。洗い場で体を洗った後にすぐタオルを使用したい時に取りやすくて便利であり、またメガネや時計もすぐ手が届くところにあり便利である。トレイ本体１２には排水溝部１６が設けられ、キャップ２６の排水溝部１６に対向する部分には排水口３０が設けられ、水がたまることがないため、小物が濡れることがなく、また、載置面１４が汚れにくく、雑菌の繁殖を抑え、衛生的である。さらに、いろいろなタイプの混合水栓４８に取り付けることができ、後付けタイプで便利である。一対の支持脚３７はトレイ本体１２に弾性的に取り付けられ、また支持脚３７は確実に混合水栓４８に取り付けられ、ぐらつくことがなく、確実に小物を保持することができる。支持脚３７の幅は施工現場でスペーサー４４をカットして容易に変更することができ、間隔の異なる混合水栓４８に簡単に対応することができる。しかも施工が簡単であり、多くの混合水栓４８が設けられた公衆浴場にも容易に取り付けて使用者に便利な設備を提供することができる。トレイ本体１２はアルミ形材で作られているため、カットする長さを変えることにより大きさの異なる種々の水栓用トレイ１０とすることができる。
【００２６】
この発明の水栓用トレイは、上記実施形態に限定されるものではなく、各部材の形状は適宜変更可能である。前記トレイ本体と前記支持脚の取付構造は上記以外でもよく、簡単で確実に取り付けられるものであればよい。上記の混合水栓以外の水栓にも取り付けることができる。キャップの構造は、確実に前記トレイ本体に取り付けられるものであればよく、筒状突起や板状突起等の構造は適宜変更可能である。トレイ本体の排水溝部の本数は変更可能であり、立上部の形状も任意にデザインすることができる。支持脚、キャップ、スペーサーの合成樹脂の材料は任意に選択可能である。
【符号の説明】
【００２７】
１０  水栓用トレイ
１２  トレイ本体
１４  載置面
１６  排水溝部
１８  立上部
２０  縁部
２２  ガイド壁
２４  支持脚用溝部
２６  キャップ
２８  板体
３０  排水口
３２  筒状突起
３４  柱状突起
３５  板状突起
３７  支持脚
３８  取付部
４０  支持部
４２  嵌合部
４１，４３  突起
４４  スペーサー
４８  混合水栓
５２  湯流路
５４  水流路
５８  クランク形脚部材
【図１】
2015086544.tif 000003
【図２】
2015086544.tif 000004
【図３】
2015086544.tif 000005
【図４】
2015086544.tif 000006
【図５】
2015086544.tif 000007
【図６】
2015086544.tif 000008
【図７】
2015086544.tif 000009
【図８】
2015086544.tif 000010
【図９】
2015086544.tif 000011